【事件の表示】
　特許第６０８８６５４号発明「静電容量型入力装置」の特許異議申立事件について、次のとおり決定する。
【結　論】
　特許第６０８８６５４号の明細書、特許請求の範囲及び図面を訂正請求書に添付された訂正明細書、特許請求の範囲及び図面のとおり、訂正後の請求項〔１−４〕について訂正することを認める。
　特許第６０８８６５４号の請求項１ないし４に係る特許を維持する。
【理　由】
第１　手続の経緯
　特許第６０８８６５４号の請求項１−４に係る特許についての出願は、平成２６年７月２８日を国際出願日とする出願であって（優先権主張平成２５年８月２３日、日本）、平成２９年２月１０日にその特許権の設定登録がされ、その後、その特許に対し、平成２９年８月３１日に特許異議申立人松田亘弘により特許異議の申立てがされ、平成２９年１１月２０日付けで取消理由が通知され、その指定期間内である平成３０年１月２２日に意見書の提出及び訂正の請求があり、その訂正の請求に対して特許異議申立人松田亘弘から平成３０年３月６日に意見書が提出されたものである。
第２　訂正の適否についての判断
１　訂正の内容
　本件訂正請求による訂正の内容は以下の（１）−（７）のとおりである。
（１）　訂正事項１
　特許請求の範囲の請求項１−４において、訂正前の
「　　【請求項１】
　ユーザに対向する外曲面を有して合成樹脂で成形された外装体と、
　該外装体の内曲面に倣って一体に設けられたフィルム基材と、
　該フィルム基材の前記外装体側の面の反対面に形成された導電性高分子からなる導電層と、
　該導電層と電気的に接続された配線層と、
　前記導電層の前記フィルム基材側の面の反対面を覆うように積層された、前記フィルム基材よりも薄い保護層と、
　を有することを特徴とする曲面形状を有する静電容量型入力装置。
　　【請求項２】
　前記導電性高分子は、ポリエチレンジオキシチオフェン（ＰＥＤＯＴ）とポリスチレンスルホン酸（ＰＳＳ）の混合体からなることを特徴とする請求項１に記載の曲面形状を有する静電容量型入力装置。
　　【請求項３】
　前記外装体、前記フィルム基材、前記導電層及び前記保護層が透明であることを特徴とする請求項１または請求項２に記載の曲面形状を有する静電容量型入力装置。
　　【請求項４】
　前記保護層は、絶縁性の合成樹脂材料からなることを特徴とする請求項１ないし請求項３のいずれかに記載の曲面形状を有する静電容量型入力装置。」
と記載されているのを、訂正後の
「　　【請求項１】
　ユーザに対向する外曲面を有して合成樹脂で成形された外装体と、
　該外装体の内曲面に倣って一体に設けられたフィルム基材と、
　
前記外装体の前記内曲面と前記フィルム基材との間に設けられた接着層と、
　該フィルム基材の前記外装体側の面の反対面に形成された導電性高分子からなる
透明性の
　該導電層と電気的に接続された配線層と、
　前記導電層の前記フィルム基材側の面の反対面を覆うように積層された、前記フィルム基材よりも薄い保護層と、
　を有
し、透明性を有する
　　【請求項２】
　前記導電性高分子は、ポリエチレンジオキシチオフェン（ＰＥＤＯＴ）とポリスチレンスルホン酸（ＰＳＳ）の混合体からなることを特徴とする請求項１に記載の曲面形状を有する静電容量型入力装置。
　　【請求項３】
　前記外装体、前記フィルム基材、前記導電層及び前記保護層が透明であ
り、前記フィルム基材の前記外装体側の面に加飾層が設けられている
　　【請求項４】
　前記保護層は、絶縁性の合成樹脂材料からなることを特徴とする請求項１ないし請求項３のいずれかに記載の曲面形状を有する静電容量型入力装置。」
に訂正する。
（２）　訂正事項２
　明細書の段落【００１８】の【図８】の説明において、
「【図８】第１実施形態に係わる曲面形状を有する静電容量型入力装置の変形例を説明する図であって、図８（ａ）は、図３と比較した変形例３の断面構成図であり、図８（ｂ）は、図３と比較した変形例４の断面構成図である。」
と記載されているのを、
「【図８】第１実施形態に係わる曲面形状を有する静電容量型入力装置の変形例を説明する図
であって、図３と
に訂正する。
（３）　訂正事項３
　明細書の段落【００４４】において、
「図８は、第１実施形態に係わる曲面形状を有する静電容量型入力装置１０１の変形例を説明する図であって、図８（ａ）は、図３と比較した変形例３の静電容量型入力装置Ｃ１０３の断面構成図であり、図８（ｂ）は、図３と比較した変形例４の静電容量型入力装置Ｃ１０４の断面構成図である。」
と記載されているのを、
「図８は、第１実施形態に係わる曲面形状を有する静電容量型入力装置１０１の変形例を説明する図
であって、図３と
に訂正する。
（４）　訂正事項４
　明細書の段落【００４７】において、
「＜変形例３＞
　上記第１実施形態では、導電層５を覆うように保護層９を設けるように好適に構成したが、図８（ａ）に示すように、保護層９を設けない構成にしても良い。」
と記載されているのを、削除する。
（５）　訂正事項５
　明細書の段落【００４８】において、
「＜変形例４＞
　上記第１実施形態に対して、図８（ｂ）に示すように、外装体１と加飾層５２との間に、中間層Ｃ４２を設けるように好適に構成しても良い。これにより、射出成形時において、外装体１となる高温で流動した合成樹脂から加飾層５２を保護することができる。」
と記載されているのを、
「＜変形例４＞
　上記第１実施形態に対して、
図８
に訂正する。
（６）　訂正事項６
　明細書の段落【００４９】において、
「＜変形例５＞
　上記第１実施形態では、外装体１、フィルム基材３、導電層５及び保護層９を透明にして、操作面全体を透明にした構成にしたが、提供される製品によっては、必ずしも透明にする必要はない。」
と記載されているのを、削除する。
（７）　訂正事項７
　【図８】を、訂正する。
２　訂正の目的の適否、一群の請求項、新規事項の有無、及び特許請求の範囲の拡張・変更の存否
　上記訂正事項１に関連する記載として、明細書の発明の詳細な説明には、
「接着層」について、段落【００２４】に、
「静電容量型入力装置１０１の
フィルム基材３は、
外装体１と接合された
接着層２２を設けて
「透明性の導電層」について、段落【００２７】に、
「静電容量型入力装置１０１の
導電層５は、
透明であり、
充分な透明性を確保しつつ
「透明性を有する」静電誘導型入力装置の全体について、段落【００１４】に、
「これによれば、
操作面全体を透明にすることができる。
透明性が要求される製品
「以上、上述したように、外装体１、フィルム基材３及び導電層５が透明であるので、
操作面全体を透明にすることができる。
透明性が要求される製品
「また、外装体１、フィルム基材３及び導電層５が透明であるので、
操作面全体を透明にすることができる。
透明性が要求される製品
「加飾層」について、段落【００２６】に、
「また、
フィルム基材３の外装体１と接合される接合面３ｍには、
加飾層５２が設けられている
請求項１に係る、「前記外装体の前記内曲面と前記フィルム基材との間に設けられた接着層」を有し、導電層が、「透明性の導電層」である、「透明性を有する」静電容量型入力装置の発明、及び、
請求項３に係る、「前記フィルム基材の前記外装体側の面に加飾層が設けられている」発明は、明細書に記載されているものと認められる。
　よって、上記訂正事項１の訂正は、明細書に記載された事項の範囲内において、請求項１の静電容量型入力装置の積層構造を、「接着層」を有し、導電層と、装置全体とが「透明性」を有する構成に限定し、請求項３の静電容量型入力装置の積層構造を、「加飾層」を有する構成に限定するものといえるから、特許請求の範囲の減縮を目的とする訂正であって、新規事項の追加に該当せず、また、実質上特許請求の範囲を拡張し、又は変更するものではない。
　また、上記訂正事項２−７の訂正は、上記訂正事項１に係る特許請求の範囲の訂正に伴って、図８（ａ）に図示されていた、「保護層」を有していない＜変形例３＞を削除するとともに、「透明性」を有していない、＜変形例５＞を削除することによって、明細書の記載を特許請求の範囲の記載と整合させるための訂正であるから、明瞭でない記載の釈明を目的とする訂正であって、新規事項の追加に該当せず、また、実質上特許請求の範囲を拡張し、又は変更するものではない。
　そして、これら訂正は一群の請求項１−４に対して請求されたものである。
３　小括
　以上のとおりであるから、本件訂正請求による訂正は特許法第１２０条の５第２項第１号及び第３号に掲げる事項を目的とするものであり、かつ、同条第４項、及び、同条第９項において準用する同法第１２６条第４項から第６項までの規定に適合するので、訂正後の請求項〔１−４〕について訂正を認める。
第３　特許異議の申立てについて
１　本件発明
　本件訂正請求により訂正された訂正請求項１−４に係る発明（以下「本件発明１」−「本件発明４」という。）は、その特許請求の範囲の請求項１−４に記載された次の事項により特定されるとおりのものである。
「　　【請求項１】
　ユーザに対向する外曲面を有して合成樹脂で成形された外装体と、
　該外装体の内曲面に倣って一体に設けられたフィルム基材と、
　前記外装体の前記内曲面と前記フィルム基材との間に設けられた接着層と、
　該フィルム基材の前記外装体側の面の反対面に形成された導電性高分子からなる透明性の導電層と、
　該導電層と電気的に接続された配線層と、
　前記導電層の前記フィルム基材側の面の反対面を覆うように積層された、前記フィルム基材よりも薄い保護層と、
　を有し、透明性を有することを特徴とする曲面形状を有する静電容量型入力装置。
　　【請求項２】
　前記導電性高分子は、ポリエチレンジオキシチオフェン（ＰＥＤＯＴ）とポリスチレンスルホン酸（ＰＳＳ）の混合体からなることを特徴とする請求項１に記載の曲面形状を有する静電容量型入力装置。
　　【請求項３】
　前記外装体、前記フィルム基材、前記導電層及び前記保護層が透明であり、前記フィルム基材の前記外装体側の面に加飾層が設けられていることを特徴とする請求項１または請求項２に記載の曲面形状を有する静電容量型入力装置。
　　【請求項４】
　前記保護層は、絶縁性の合成樹脂材料からなることを特徴とする請求項１ないし請求項３のいずれかに記載の曲面形状を有する静電容量型入力装置。」
２　取消理由の概要
　訂正前の請求項１−４に係る特許に対して平成２９年１１月２０日付けで特許権者に通知した取消理由の要旨は、次のとおりである。
　請求項１−４に係る発明は、甲第１−４号証に記載された発明及び技術事項に基づき容易に発明をすることができたものであるから、特許法第２９条第２項の規定により特許を受けることができないものであり、請求項１−４に係る特許は、取り消されるべきものである。
３　各甲号証の記載
（１）　甲第１号証
　甲第１号証（特開２０１０−２４４７７２号公報）には、図面とともに、次の記載がある。（下線は、特に着目した箇所を示す。）
ア　段落【００１５】−【００１８】
「【００１５】
　一方、
タッチパネルとは異なるが、後述の特許文献６には、
静電容量方式のタッチセンサの例が示されている
【００１６】
　図１２（ａ）に示すように、
タッチセンサ２００は、例えば、人形型玩具２１０などの
その内部に配置されている
【００１７】
　基材２０１は、可撓性を有する樹脂材料からなる絶縁シートなどである。基材２０１は、所定の寸法で形成された電極部２０１ａと、この端部から検出回路部２０３へ向かって延びる延出部２０１ｂとからなり、これらの表面にはそれぞれ電極２０２および配線が配置されている。検出電極２０２および配線は、例えば銅などの導電性材料からなり、例えば蒸着法やめっき法などの公知の方法によって形成される。あるいは、銀ペーストなどの導電性塗料を印刷するなどの公知の方法によって形成してもよい。検出回路部２０３は、接触物体と検出電極２０２との間の静電容量の変化を検出する信号処理手段である。
【００１８】
　
タッチセンサ２００は、人形型玩具２１０の外形を形成している筐体２１１の内側の曲面に固定されている
イ　段落【００２０】−【００２６】
「
【発明が解決しようとする課題】
【００２０】
　既述したように、タッチ部材を画像表示装置の前面に配置する場合を考慮すると、静電容量式タッチパネルを構成する検出電極は、光透過性であることが望ましい。
【００２１】
　現在、広く利用されている透明導電材料はインジウムスズ酸化物（ＩＴＯ）またはフッ素ドープスズ酸化物（ＦＴＯ）などである。これらの酸化物系透明導電材料は、一般に真空蒸着法やスパッタリング法などの物理的蒸着法（ＰＶＤ）によって、ガラスやポリエチレンテレフタラート（ＰＥＴ）などの光透過性支持体上に成膜される。ＰＶＤでは、平面上への成膜は容易であるが、曲面などの立体物上にむらなく均一に成膜することはきわめて難しい。近年、プラズマＣＶＤ法によって、透明導電材料を曲面基板上に成膜できるようになってきたが（ＷＯ２００６／０３３２６８参照。）、この方法では、プラズマの発生や条件制御のために大掛かりな装置が必要である。また、ＩＴＯやＦＴＯなどの酸化物系透明導電材料はもろく、応力をかけると微細なひび割れが生じ、導電性が急激に低下する（特開２００８−３６９０２参照。）。このため、成膜後に、折り曲げる等の成形加工を施すことはできない。
【００２２】
　特許文献２および３では、導電性高分子が透明導電材料として用いられている。
導電性高分子は
ＩＴＯなどに比べ、導電性および透明性に劣り、所定の導電性が得られず、タッチパネルの誤動作の原因になることがある。また、耐久性に劣り、特に車載用など高温環境中での動作特性には問題がある
【００２３】
　特許文献４および５では、カーボンナノチューブが透明導電材料として用いられている。しかし、特許文献２および３と同様、特許文献４および５で意図されているタッチパネルは、抵抗膜式タッチパネルであり、基材の形状が球面や任意の曲面である場合には、２枚の基材の間隔を高い精度で目標値に合わせることは極めて困難である。
【００２４】
　
以上の理由で、現在実用化されているタッチパネルは、タッチ面が平面の平板パネルにほぼ限定されている
【００２５】
　
一方、特許文献６に提案されているタッチセンサでは、検出電極２０２は筐体２１１の内壁に設けられるので、光透過性である必要はないが
検出電極が透明であれば、
検出電極を筐体２１１の外壁に設けることができる
この場合、筐体２１１の内部に設ける場合に比べて、はるかに簡易に検出電極を設けることができる
【００２６】
　
本発明の目的は、上記のような実情に鑑み
光透過性の検出電極を有する
静電容量式タッチ検出装置を提供することにある
ウ　段落【００３４】−【００３５】
「【発明の効果】
【００３４】
　本発明の静電容量式タッチ部材、並びに静電容量式タッチ検出装置の特徴は、
カーボンナノ線状構造体を含有する光透過性導電層を検出電極として用い、静電容量方式のタッチ検出方法と組み合わせることによって、初めて、実用的な、
立体的な形状を有するタッチ検出装置を実現した
【００３５】
　前記カーボンナノ線状構造体は、直径が可視光の波長よりはるかに小さいので、可視光をよく透過させる。しかも、前記カーボンナノ線状構造体には、金属性カーボンナノチューブのように極めて高い電気伝導性を有するものがあり、小さい面密度で十分な電気伝導性を示す。しかも、カーボンナノチューブは、ＩＴＯなどの酸化物系透明導電材料と異なり、しなやかで強靱な機械的特性を有する。また、化学的にも安定である。以上のように、前記カーボンナノ線状構造体を含有する光透過性導電層は、フレキシブルな形状又は立体的な形状を有するタッチ部材に用いられる検出電極として最良の特性を有する。」
エ　段落【００４５】
「【００４５】
　本発明の第１〜第４の静電容量式タッチ部材において、
前記光透過性導電層が、前記カーボンナノ線状構造体と導電性樹脂材料との複合体からな
補助的な材料は必ずしも必要ではないが、用いるのであれば、透明性の高い導電性高分子であるポリ(３，４−エチレンジオキシチオフェン)（ＰＥＤＯＴ；商品名　バイトロン）などがよ
オ　段落【００５２】−【００６２】
「【００５２】
［実施の形態１］
　実施の形態１では、主として、請求項１、２、８〜１４に記載した静電容量式タッチ部材、請求項１５、１６に記載した静電容量式タッチ検出装置、および請求項１８、２０に記載した静電容量式タッチ部材の製造方法の例について説明する。この際、
前記カーボンナノ線状構造体としてカーボンナノチューブを用い
【００５３】
　図１（ａ）は、実施の形態１に基づく静電容量式タッチ検出装置の構造を示す斜視図であり、図１（ｂ）はその断面図である。この
静電容量式タッチ検出装置は、
静電容量式タッチ部材１０と、静電容量変化検出回路６０とで構成され
【００５４】
　
静電容量式タッチ部材１０は
絶縁性材料からなり、立体的な形状を有するフィルム状又は板状の支持体１と
支持体１の一方の面の少なくとも一部に配置された、カーボンナノ線状構造体を含有する光透過性導電層からなる検出電極２と
検出電極２から引き出された引き出し配線３とで構成され
【００５５】
　静電容量式タッチ部材１０では、
支持体１の、検出電極２が配置された面とは反対側の面がタッチ面４として用いられ
すなわち、人体の一部、例えば指などの接触物体がタッチ面４に接近または接触すると、接触物体と検出電極２との間の静電容量が変化
この静電容量の変化は、引き出し配線３を介して静電容量変化検出回路６０に伝えられ、電気信号に変換して感知され
　　　・・・（中略）・・・
【００５７】
　支持体１の材料は、絶縁性材料であることを除けば、特に限定されるものではない。ただし、
タッチ部材が画像表示装置の前面に配置される場合には、支持体１の材料は光透過性であることが必要であ
【００５８】
　タッチ面４の反対側の面に検出電極２を設け、タッチ面４に接近又は接触する接触物体と検出電極２との間に静電容量を形成させることを考えると、支持体１の厚さは大きすぎないことが重要である。従って、
支持体１は、
厚さが０．０１〜３ｍｍ、通常０．１〜０．５ｍｍ程度であって、フレキシブルなテープ状、フィルム状、またはシート状であ
この場合、任意の立体的形状を有する物品に、貼り付けるなどの形態で用いることができ
　　　・・・（中略）・・・
【００６２】
　図１（ｃ）は、請求項２に対応して、
検出電極２が被覆層５によって被覆され
被覆層５を構成する材料は、光学特性がよいこと（高透明性・低反射性・低グレア性）、簡単に形成できること、電気絶縁性があることが必要であ
また、高分子系の材料が好ましく、
カ　段落【００６３】
「【００６３】
　図２（ａ）は、実施の形態１の別の例に基づく静電容量式タッチ検出装置の構造を示す断面図である。
図１に示した静電容量式タッチ部材１０では、半球形の支持体１の内側の面（凹面）に検出電極２が配置され、外側の面（凸面）がタッチ面４として用いられている
キ　段落【００６８】
「【００６８】
　本発明に基づく静電容量式タッチ検出装置は、支持体１がもつ模様や質感を維持したまま、静電容量式タッチ検出装置とすることができる。また、
光透過性の支持体を
これを他の物品に被せる場合
ク　段落【０１０２】−【０１０３】
「【０１０２】
［実施の形態５］
　実施の形態５では、請求項５および６に記載した第４の静電容量式タッチ部材の例について説明する。図示省略するが、実施の形態５に基づく静電容量式タッチ検出装置は、
タッチ検出機能を付与したいと望む物品の表面の少なくとも一部に配置された
【０１０３】
　この静電容量式タッチ部材を設ける物品は、カーボンナノ線状構造体を含有する光透過性導電層を設けることが可能であればよく、特に限定されるものではない。
例えば、特許文献２に示されている人形型玩具２１０のようなものでもよく
静電容量式タッチ部材は薄く、光透過性であるので、物品の外観を損ねることなく設けることができる
　上記下線部の記載（特に上記「エ」の光透過性導電層に関する摘記、及び、上記「オ」、「カ」の［実施の形態１］に関する摘記参照。）を、関連図面（特に図１（ｃ）参照。）に照らせば、甲第１号証には、次の発明（以下、「甲１発明」という。）が記載されていると認められる。
「カーボンナノ線状構造体としてカーボンナノチューブを用い、
　静電容量式タッチ検出装置は、静電容量式タッチ部材１０と、静電容量変化検出回路６０とで構成され、
　静電容量式タッチ部材１０は、
　絶縁性材料からなり、立体的な形状を有するフィルム状又は板状の支持体１と、
　支持体１の一方の面の少なくとも一部に配置された、カーボンナノ線状構造体を含有する光透過性導電層からなる検出電極２と、
　検出電極２から引き出された引き出し配線３とで構成され、
　支持体１の、検出電極２が配置された面とは反対側の面がタッチ面４として用いられ、すなわち、人体の一部、例えば指などの接触物体がタッチ面４に接近または接触すると、接触物体と検出電極２との間の静電容量が変化し、この静電容量の変化は、引き出し配線３を介して静電容量変化検出回路６０に伝えられ、電気信号に変換して感知され、
　タッチ部材が画像表示装置の前面に配置される場合には、支持体１の材料は光透過性であることが必要であり、
　支持体１は、厚さが０．０１〜３ｍｍ、通常０．１〜０．５ｍｍ程度であって、フレキシブルなテープ状、フィルム状、またはシート状であり、この場合、任意の立体的形状を有する物品に、貼り付けるなどの形態で用いることができ、
　前記光透過性導電層が、前記カーボンナノ線状構造体と導電性樹脂材料との複合体からなり、補助的な材料は、透明性の高い導電性高分子であるポリ(３，４−エチレンジオキシチオフェン)（ＰＥＤＯＴ；商品名　バイトロン）などがよく、
　検出電極２が被覆層５によって被覆され、被覆層５を構成する材料は、光学特性がよいこと（高透明性・低反射性・低グレア性）、簡単に形成できること、電気絶縁性があることが必要であり、また、高分子系の材料が好ましく、
　半球形の支持体１の内側の面（凹面）に検出電極２が配置され、外側の面（凸面）がタッチ面４として用いられている、
　静電容量式タッチ検出装置。」
（２）　甲第２号証
　甲第２号証（特開２０１２−１３３４２８号公報）には、次の記載がある。
ア　段落【００１７】
「【００１７】
　図１に示すように、本発明に係る
表示装置は、湾曲形状に形成された液晶パネル４と、液晶パネル４上に、液晶パネル４に沿って配置された、柔軟性を有する所定の膜厚の接着層３と、接着層３を介して、液晶パネル４と接着されたタッチパネル２と、タッチパネル２上に配置された、湾曲形状を有する表面保護板１とを備え
イ　段落【００２１】
「【００２１】
　
表面保護板１を化学処理を施した強化ガラスで形成
ウ　段落【００２５】−【００２６】
「【００２５】
　図３には、本発明に係る表示装置のうち、
タッチパネル２
シールド電極８上にタッチパネル基板９が配置され、タッチパネル基板９上に、２層の絶縁膜１１、絶縁膜１４が選択的に形成され
【００２６】
　
タッチパネル基板９と絶縁膜１１との境において、検出配線１０が配線され、絶縁膜１１と絶縁膜１４との境において、検出配線１６が配線され
エ　段落【００３１】
「【００３１】
　また、本発明に係る実施の形態１によれば、表示装置において、
タッチパネル２は、タッチパネル基板９上に検出配線１０、検出配線１６を備え
表面保護板１が１ｍｍ以上の厚さになった場合でも、適切にタッチ検出を行うことが可能となる
（３）　甲第３号証
　甲第３号証（特開２０１２−２７８９４号公報）には、【請求項２】に、
「【請求項２】
　前記
導電性高分子は
ＰＥＤＯＴ／ＰＳＳ
と記載されるから、導電層が、ＰＥＤＯＴとＰＳＳの混合体などの導電性高分子からなるものは、周知技術であるといえる。
（４）　甲第４号証−甲第６号証
　甲第４号証（特開２００３−１１５２２１号公報）には、次の記載がある。
ア　段落【００２７】
「【００２７】このような高分子フィルム２ａの厚さは、透明導電性フィルムの用途などによっても異なるが、
タッチパネルの上部電極としての用途には、通常の場合１３μｍ〜０．５ｍｍ程度とされる
イ　段落【００３６】
「【００３６】高分子化合物からなる
保護層５、５ａ、５ｂの層厚は、用いた材料、透明導電フィルムに要求される光透過率、必要とされる耐久性などに応じて適宜決定されるが
保護層は１から１０００ｎｍの膜厚、特に１から１００ｎｍであることが好ましい
　甲第５号証（特開２０１２−２２１０７５号公報）には、次の記載がある。
ウ　段落【００１４】−【００１９】
「【００１４】
＜１．透明導電性素子の構成＞
　図１Ａは透明導電性素子の構造を模式的に示すものである。
　この透明導電性素子は、
基材１、透明導電膜２，保護層３の積層構造を有する
保護層３は、透明導電膜２を被覆するように積層されている
【００１５】
　本実施の形態では、
透明導電膜２上に保護層３を形成することにより、透明導電膜２のシート抵抗の経時劣化を抑制するものである
　詳しくは後述するが、保護層３は、熱硬化樹脂、ＵＶ硬化樹脂等の樹脂を用いる。また、樹脂に無機フィラー等を混ぜたものでも良い。
　
透明導電膜２は、例えば導電性金属酸化物フィラーを用いて形成されている
　この実施の形態の透明導電性素子は、静電容量式タッチパネル等の電極素子として好適に使用できる。
　　　・・・（中略）・・・
【００１９】
・透明導電膜２
　
透明導電膜２の材料にあたるフィラーには、ＩＴＯに代表される導電性金属酸化物フィラーが挙げられる
　甲第６号証（登録実用新案第３１７７９３３号公報）には、次の記載がある。
エ　段落【００１３】−【００１４】
「【００１３】
　透明基板１０は、第１側１０１と、第１側１０１と反対側の第２側１０２と、を有する
。導電層１１は、第２側１０２上に配置される。
導電層１１は、ＩＴＯ（Ｉｎｄｉｕｍ　Ｔｉｎ　Ｏｘｉｄｅ）又はＡＴＯ（Ａｎｔｉｍｏｎｙ　Ｔｉｎ　Ｏｘｉｄｅ）フィルムである
【００１４】
　図１及び図２に示すように、
保護層１２は、導電層１１の透明基板１０と反対側に貼合される。
オ　まとめ
　甲第４号証−甲第６号証の各記載から、導電層の表面を覆う保護層を設ける点は、周知技術であると認められる。
４　判断
（１）　取消理由通知に記載した取消理由について
ア　本件発明１について
（ア）　甲１発明の「支持体１」は、「絶縁性材料からなり、立体的な形状を有する
フィルム状
（イ）　甲１発明の「光透過性導電層からなる検出電極２」は、「支持体１の一方の面の少なくとも一部に配置され」、「光透過性導電層が、前記カーボンナノ線状構造体と導電性樹脂材料との複合体からな」るから、本件発明１の「該フィルム基材の
前記外装体側の
導電性高分子からなる
一方の
、
（ウ）　甲１発明の「検出電極２から引き出された引き出し配線３」は、本件発明１の「該導電層と電気的に接続された配線
層
（エ）　甲１発明の「被覆層５」は、「検出電極２が被覆層５によって被覆され」るものであって、「検出電極２」の「支持体１」と反対側の面を被覆しているから（引用文献１の図１（ｃ）も参照されたい。）、本件発明１の「前記導電層の前記フィルム基材側の面の反対面を覆うように積層された、
前記フィルム基材よりも薄い
（オ）　甲１発明の「静電容量式タッチ検出装置」は、「タッチ部材が画像表示装置の前面に配置される場合には、
支持体１の材料は光透過性であることが必要
光透過性導電層
被覆層５
光学特性がよいこと（高透明性
が必要であ
任意の立体的形状を有する物品
半球形の支持体１
外側の面（凸面）がタッチ面４
　したがって、本件発明１と甲１発明との一致点・相違点は次のとおりである。
　
＜一致点＞
「フィルム基材と、
該フィルム基材の一方の面の反対面に形成された、透明性の導電層と、
該導電層と電気的に接続された配線と、
前記導電層の前記フィルム基材側の面の反対面を覆うように積層された、保護層と、
を有し、透明性を有することを特徴とする曲面形状を有する静電容量型入力装置。」
［相違点１］
　本件発明１では、「ユーザに対向する外曲面を有して合成樹脂で成形された外装体」を有しており、「フィルム基材」が「
該外装体の内曲面に倣って一体に設けられた
前記外装体側の面
［相違点２］
　本件発明１では、さらに、「前記外装体の前記内曲面と前記フィルム基材との間に設けられた接着層」を有するのに対して、甲１発明では、「接着層」を設けることは、特定がなされていない点。
［相違点３］
　「導電層」について、本件発明１では、「導電性高分子からなる」のに対して、甲１発明では、「光透過性導電層からなる検出電極２」が「
カーボンナノチューブ
導電性樹脂材料との複合体
導電性高分子は
導電性および透明性に劣り
耐久性に劣り
問題がある
［相違点４］
　「配線」について、本件発明１では、「配線」が「配線
層
［相違点５］
　「保護層」について、本件発明１では、「前記フィルム基材よりも薄い」のに対して、甲１発明では、「被覆層５」の薄さが、（「支持体１」すなわち）「前記フィルム基材よりも薄い」ことは、特定されていない点。
（キ）　上記［相違点１］について検討する。
　本件発明１は、明細書の段落【０００７】−【００１０】に、
「【発明が解決しようとする課題】
【０００７】
　しかしながら、従来例に用いられている
導電性ポリマー（導電性高分子）は、吸湿するとその層の抵抗値が大きくなる性質を有しており、一度吸湿した後水分が抜けないと、検出精度の低下に繋がる虞があった
フィルム基材９０１と支持体９４０とに挟まれた層構成をしているので、
水分が容易に抜けないという課題があった
【０００８】
　本発明は、上述した課題を解決するもので、
高湿環境下に晒された後に検出精度の低下から素早く復帰する、曲面形状を有する静電容量型入力装置
【０００９】
　この課題を解決するために、本発明の静電容量型入力装置は、ユーザに対向する外曲面を有して合成樹脂で成形された外装体と、該外装体の内曲面に倣って一体に設けられたフィルム基材と、該フィルム基材の前記外装体側の面の反対面に形成された導電性高分子からなる導電層と、該導電層と電気的に接続された配線層と、を有することを特徴としている。
【００１０】
　これによれば、本発明の静電容量型入力装置は、
導電層が外装体とフィルム基材とに挟まれていないため
導電層内の水分が抜け易い構成となっている
と記載されるとおり、従来、曲面形状を有する静電容量型入力装置の層構造において、導電性高分子からなる導電層が、フィルム基材と支持体に挟まれていたために、導電層に吸収された水分が容易に抜けないという課題があり、このため、導電層が、「フィルム基材の
前記外装体側の面
　一方、甲１発明では、「外装体」が存在し得ることのについての、特定がなされていない。
　ここで、甲１発明は、「
支持体１は、
フィルム状
この場合、任意の立体的形状を有する物品に、貼り付けるなどの形態で用いることができ
　そして、特に、立体的形状を有する物品の「内面」に、薄いフィルム状の支持体１を貼り付けたケースを想定すれば、このとき、甲１発明として、「立体的形状を有する物品」として、本件発明１の「外装体」に相当する層を備えた層構成のものを想定することができる。
　しかし、甲第１号証の段落【００２５】に、
「
検出電極が透明であれば
検出電極を筐体２１１の外壁に設けることができる
筐体２１１の内部に設ける場合に比べて、はるかに簡易に検出電極を設けることができる
と記載され、甲１発明が透明電極を用いる目的は、筐体内部よりも簡易に設置できる「筐体の外壁」に、透明な電極を設置するためと理解されること、
また、甲第１号証の【００６８】に、
「また、
光透過性の支持体を
これを他の物品に被せる場合
と記載され、「他の物品に被せる」、すなわち「筐体の外壁」に、電極を設ける実施の形態が記載されていること、さらに、甲第１号証の段落【０１０２】−【０１０３】にも、
「
［実施の形態５］
　……　
図示省略するが
タッチ検出機能を付与したいと望む物品の表面の少なくとも一部に配置された
光透過性導電層からなる検出電極と
例えば、特許文献２に示されている人形型玩具２１０のようなものでもよく
静電容量式タッチ部材は薄く、光透過性であるので、物品の外観を損ねることなく設けることができる
と記載され、「物品の表面に」透明電極を設置する実施の形態が記載されていることを考慮すると、甲１発明の「任意の立体的形状を有する物品に、貼り付ける」場合を、上記相違点１に係る構成のように、導電層が「フィルム基材の
前記外装体側の面
　よって、甲第１号証の記載の前後の文脈を考慮すれば、甲１発明から、「ユーザに対向する外曲面を有して合成樹脂で成形された外装体」を有しており、「フィルム基材」が「
該外装体の内曲面に倣って一体に設けられた
前記外装体側の面
　甲第２号証には、上記３（２）ア−エの摘記のとおり、
「表示装置」であって、
「湾曲形状に形成された液晶パネル４と、液晶パネル４上に、液晶パネル４に沿って配置された、柔軟性を有する所定の膜厚の接着層３と、接着層３を介して、液晶パネル４と接着されたタッチパネル２と、タッチパネル２上に配置された、湾曲形状を有する表面保護板１とを備え」、
「表面保護板１を化学処理を施した強化ガラスで形成」し、
「タッチパネル２」は、「シールド電極８上にタッチパネル基板９が配置され、タッチパネル基板９上に、２層の絶縁膜１１、絶縁膜１４が選択的に形成され」、「タッチパネル基板９と絶縁膜１１との境において、検出配線１０が配線され、絶縁膜１１と絶縁膜１４との境において、検出配線１６が配線され」、
「タッチパネル２は、タッチパネル基板９上に検出配線１０、検出配線１６を備え、透明電極は、シールド電極であることで、表面保護板１が１ｍｍ以上の厚さになった場合でも、適切にタッチ検出を行うことが可能となる」ものが記載されている。
　しかし、甲第２号証のものは、「強化ガラス」の「表面保護板１」、「検出配線１０、１６」、「タッチパネル基板９」にさらに、「液晶パネル４」が積層された層構成の「表示装置」であって、特に、「検出配線１０、１６」は、「強化ガラス」の「表面保護板１」と「タッチパネル基板９」に挟まれているから、導電層が「フィルム基材の
前記外装体側の面
　なお、甲第２号証のものは、上記３（２）エの摘記のとおり、「タッチパネル
基板９上に検出配線１０
　甲第２号証の層構成を分解して、「表面保護板１」という特定の層だけを取り出せば、個別に周知の構成要素であるとしても、甲第２号証のものは「表示装置」全体の所定の層構成に意義があるものであって、検出電極を筐体の外壁に設ける方が、筐体の内部に設けるより「はるかに簡易に検出電極を設けることができる」という作用効果を備えた甲１発明に対して、甲第２号証の「表示装置」の層構成から特定の層だけを取り出して組み合わせることの起因、動機付けは見いだし難い。
　甲第３号証には、上記３（３）記載のとおり、導電層が、ＰＥＤＯＴ／ＰＳＳなどの導電性高分子からなる周知技術が記載され、甲第４号証−甲第６号証には、上記３（４）記載のとおり、導電層を覆う保護層を設ける周知技術が記載されているが、いずれの文献にも、曲面形状を有する静電容量型入力装置において、導電性高分子からなる透明性の導電層が、「フィルム基材の
前記外装体側の面
　以上から、甲第１−６号証のいずれにも、曲面形状を有する静電容量型入力装置において、導電性高分子からなる透明性の導電層が、「フィルム基材の
前記外装体側の面
　そして、本件発明１は、当該構成によって、曲面形状を有する静電容量型入力装置において、導電性高分子からなる導電層が外装体とフィルム基材とに挟まれていないため、導電層内の水分が抜け易いという顕著な効果を奏するものであり、上記［相違点２］−［相違点５］について検討するまでもなく、本件発明１は、甲１発明及び甲第２−６号証に記載の技術事項に基づいて、当業者が容易に発明をすることができたものではない。
イ　本件発明２−６について
　本件発明２−４は、本件発明１をさらに限定した発明であるから、本件発明１と同様の理由により、甲１発明及び甲第２−６号証に記載の技術事項に基づいて、当業者が容易に発明をすることができたものではない。
（２）　取消理由通知において採用しなかった特許異議申立理由について
ア　特許法第２９条第２項について
　特許異議申立人松田亘弘は、特許異議申立書の「理由２」（５ページ１８行−６ページ下から２行目）において、訂正前の特許請求の範囲の請求項１に係る発明は、甲第２号証に記載された発明、及び、甲第１、４−６号証に記載の技術事項に基づき容易に発明をすることができたものであるから、特許法第２９条第２項の規定により特許を受けることができない旨主張している。
　しかし、上記（１）ア（キ）記載のとおり、甲第２号証、及び、甲第１、４−６号証のいずれにも、曲面形状を有する静電容量型入力装置において、導電性高分子からなる導電層が、「フィルム基材の
前記外装体側の面
第４　むすび
　以上のとおりであるから、取消理由通知に記載した取消理由及び特許異議申立書に記載された特許異議申立理由によっては、本件請求項１−４に係る特許を取り消すことはできない。　
　また、他に請求項１−４に係る特許を取り消すべき理由を発見しない。
　よって、結論のとおり決定する。
【異議決定日】
平成３０年３月２３日（２０１８．３．２３）
【訂正の要旨】
審決（決定）の【理由】欄参照。
（５４）【発明の名称】
静電容量型入力装置
（５７）【特許請求の範囲】
　【請求項１】
　ユーザに対向する外曲面を有して合成樹脂で成形された外装体と、
　該外装体の内曲面に倣って一体に設けられたフィルム基材と、
　
前記外装体の前記内曲面と前記フィルム基材との間に設けられた接着層と、
　該フィルム基材の前記外装体側の面の反対面に形成された導電性高分子からなる
透明性の
　該導電層と電気的に接続された配線層と、
　前記導電層の前記フィルム基材側の面の反対面を覆うように積層された、前記フィルム基材よりも薄い保護層と、
　を有
し、透明性を有する
　【請求項２】
　前記導電性高分子は、ポリエチレンジオキシチオフェン（ＰＥＤＯＴ）とポリスチレンスルホン酸（ＰＳＳ）の混合体からなることを特徴とする請求項１に記載の曲面形状を有する静電容量型入力装置。
　【請求項３】
　前記外装体、前記フィルム基材、前記導電層及び前記保護層が透明で
あり、前記フィルム基材の前記外装体側の面に加飾層が設けられている
　【請求項４】
　前記保護層は、絶縁性の合成樹脂材料からなることを特徴とする請求項１ないし請求項３のいずれかに記載の曲面形状を有する静電容量型入力装置。
【発明の詳細な説明】
　【技術分野】
　【０００１】
　本発明は、各種電子機器に用いられる静電容量型の入力装置に関し、特に、曲面形状を有した静電容量型入力装置に関する。
　【背景技術】
　【０００２】
　近年、ユーザが軽く触れた指先の部分の僅かな静電容量の変化を検出し、位置や動きの方向を電気信号に変換して出力する静電容量型の入力装置が良く使用されるようになってきた。このような静電容量型入力装置は、スイッチ等の機構部品を省略することができ、意匠性に優れるというメリットがある反面、検出用の透明電極として酸化インジウムスズ（ＩＴＯ、Ｉｎｄｉｕｍ　Ｔｉｎ　Ｏｘｉｄｅ）膜を用いるため、真空成膜が必要となり、工業的には実質的に単なる二次元形状（平面形状）に限定され、適用される製品の適用箇所に制限が設けられるというディメリットがあった。
　【０００３】
　上述したディメリットに鑑み、特許文献１では、表面が曲面の取付け箇所に設置が可能な静電容量センサ（静電容量型入力装置）９００が提案されている。図９は、特許文献１（従来例）の静電容量センサ９００を説明した図であって、図９（ａ）は、実施形態Ａの静電容量センサ９００Ａを模式的に示した説明図であり、図９（ｂ）は、実施形態Ｂの静電容量センサ９００Ｂを模式的に示した説明図である。
　【０００４】
　図９に示す静電容量センサ９００（９００Ａ、９００Ｂ）は、三次元成形されるフィルム基材９０１と、このフィルム基材９０１に一体化される加飾層９１０と、静電容量の変化を検出する導電性の回路パターン層９２０と、フィルム基材９０１を支持する支持体９４０と、回路パターン層９２０の導電インクが滲むのを抑制する保護層９３０Ａと、を備えて構成されている。他に、図９（ａ）に示す静電容量センサ９００Ａでは、加飾層９１０の表面が損傷したり、磨耗するのを防止する保護層９３５を備え、図９（ｂ）に示す静電容量センサ９００Ｂでは、絶縁性のレジスト層９２５を備えている。そして、ユーザの指ＦＮが三次元形状の表面に触れた際に、静電容量センサ９００（９００Ａ、９００Ｂ）は、その指ＦＮの先の部分の僅かな静電容量の変化を回路パターン層９２０で検出するようにしている。
　【０００５】
　また、この静電容量センサ９００（９００Ａ、９００Ｂ）では、回路パターン層９２０として、第一の回路パターン層９２３と第二の回路パターン層９２４を備えるようにして、静電容量センサ９００（９００Ａ、９００Ｂ）の検出精度の向上や構成の多様化を図っている。また、この回路パターン層９２０は、酸化インジウムスズ（ＩＴＯ、Ｉｎｄｉｕｍ　Ｔｉｎ　Ｏｘｉｄｅ）膜を用いずに、銀ペースト、カーボンインク、導電性ポリマー（信越ポリマー社製：Ｓｅｐｌｅｇｙｄａ）等からなる導電インクを用いて構成されているので、三次元成形されるフィルム基材９０１及び支持体９４０に形成が可能となっている。
　【先行技術文献】
　【特許文献】
　【０００６】
　【特許文献１】特開２０１０−２６７６０７号公報
　【発明の概要】
　【発明が解決しようとする課題】
　【０００７】
　しかしながら、従来例に用いられている導電性ポリマー（導電性高分子）は、吸湿するとその層の抵抗値が大きくなる性質を有しており、一度吸湿した後水分が抜けないと、検出精度の低下に繋がる虞があった。特に、従来例の構成では、静電容量センサ９００Ａの第二の回路パターン層９２４や静電容量センサ９００Ｂの回路パターン層９２０（９２３、９２４）が、フィルム基材９０１と支持体９４０とに挟まれた層構成をしているので、一旦水分がフィルム基材９０１や支持体９４０を透過して回路パターン層９２０（９２３、９２４）に吸収された場合、水分が容易に抜けないという課題があった。このため、従来例の静電容量センサ９００においては、高湿環境下に晒された後に、検出精度が低下してなかなか復帰しない虞があった。
　【０００８】
　本発明は、上述した課題を解決するもので、高湿環境下に晒された後に検出精度の低下から素早く復帰する、曲面形状を有する静電容量型入力装置を提供することを目的とする。
　【課題を解決するための手段】
　【０００９】
　この課題を解決するために、本発明の静電容量型入力装置は、ユーザに対向する外曲面を有して合成樹脂で成形された外装体と、該外装体の内曲面に倣って一体に設けられたフィルム基材と、該フィルム基材の前記外装体側の面の反対面に形成された導電性高分子からなる導電層と、該導電層と電気的に接続された配線層と、前記導電層の前記フィルム基材側の面の反対面を覆うように積層された、前記フィルム基材よりも薄い保護層と、を有することを特徴としている。
　【００１０】
　これによれば、本発明の静電容量型入力装置は、導電層が外装体とフィルム基材とに挟まれていないため、フィルム基材の外装体側の面の反対面側に形成された導電層の表面からフィルム基材や外装体に妨げられずに導電層内の水分が抜け易い構成となっている。このことにより、高湿環境下に晒された後に、導電層の抵抗値が元の値に戻りやすく、検出精度の低下から素早く復帰することができる。
　また、導電層を覆うように積層されたフィルム基材より薄い保護層を有しているので、例えば製造上での物理的な作用による導電層の損傷や、例えば環境下における導電層のダメージ等に対して、導電層が保護される。このことにより、曲面形状を有する静電容量型入力装置の耐候性を高めることができる。
　【００１１】
　また、本発明の静電容量型入力装置は、前記導電性高分子が、ポリエチレンジオキシチオフェン（ＰＥＤＯＴ）とポリスチレンスルホン酸（ＰＳＳ）の混合体からなることを特徴としている。
　【００１２】
　これによれば、充分な透明性を確保しつつ所望の導電性を得ることができるとともに、高温雰囲気下の安定性や曲げ加工の耐性にも優れている。また、水分散性であるので、容易に塗布、成膜を行うことができる。このことにより、曲面形状を有する静電容量型入力装置を容易に作製することができる。
　【００１３】
　また、本発明の静電容量型入力装置は、前記外装体、前記フィルム基材、前記導電層及び前記保護層が透明であることを特徴としている。
　【００１４】
　これによれば、操作面全体を透明にすることができる。このことにより、透明性が要求される製品に好適に用いることができる。また、加飾層を加えることによって、適用される製品の装飾性も高めることができる。
　【００１５】
　また、本発明の静電容量型入力装置は、前記保護層が、絶縁性の合成樹脂材料からなることを特徴とする。
　【００１６】
　これによれば、導電層を覆うように積層された保護層を有しているので、例えば製造上での物理的な作用による導電層の損傷や、例えば環境下における導電層のダメージ等に対して、導電層が保護される。このことにより、曲面形状を有する静電容量型入力装置の耐候性を高めることができる。
　【発明の効果】
　【００１７】
　本発明の静電容量型入力装置は、フィルム基材の外装体と対向する面の反対面側から、導電層内の水分が抜け易い構成となっている。このことにより、高湿環境下に晒された後に、導電層の抵抗値が元の値に戻りやすく、検出精度の低下から素早く復帰することができる。
　【図面の簡単な説明】
　【００１８】
　【図１】本発明の第１実施形態に係わる曲面形状を有する静電容量型入力装置を説明する斜視図である。
　【図２】本発明の第１実施形態に係わる曲面形状を有する静電容量型入力装置を説明する図であって、図１に示すＺ２側から見た斜視図である。
　【図３】本発明の第１実施形態に係わる曲面形状を有する静電容量型入力装置を説明する図であって、図１に示すＸ２側から見た側面図である。
　【図４】本発明の第１実施形態に係わる曲面形状を有する静電容量型入力装置を説明する図であって、曲面形状部分の断面構成図である。
　【図５】第１実施形態に係わる曲面形状を有する静電容量型入力装置の効果を説明する図であって、図５（ａ）は、耐湿試験に用いた本案のサンプル片の層構造を示した図であり、図５（ｂ）は、比較に用いたサンプル片の層構造を示した図である。
　【図６】第１実施形態に係わる曲面形状を有する静電容量型入力装置の効果を説明する図であって、耐湿試験結果のグラフである。
　【図７】第１実施形態に係わる曲面形状を有する静電容量型入力装置の変形例を説明する図であって、図７（ａ）は、図４と比較した変形例１の断面構成図であり、図７（ｂ）は、図４と比較した変形例２の断面構成図である。
　【図８】第１実施形態に係わる曲面形状を有する静電容量型入力装置の変形例を説明する図で
あって、図３と
　【図９】従来例の静電容量センサを説明した図であって、図９（ａ）は、実施形態Ａの静電容量センサを模式的に示した説明図であり、図９（ｂ）は、実施形態Ｂの静電容量センサを模式的に示した説明図である。
　【発明を実施するための形態】
　【００１９】
　以下、本発明の実施の形態について図面を参照して説明する。
　【００２０】
　［第１実施形態］
　図１は、本発明の第１実施形態に係わる曲面形状を有する静電容量型入力装置１０１を説明する斜視図である。図２は、本発明の第１実施形態に係わる曲面形状を有する静電容量型入力装置１０１を説明する図であって、図１に示すＺ２側から見た斜視図である。図３は、本発明の第１実施形態に係わる曲面形状を有する静電容量型入力装置１０１を説明する図であって、図１に示すＸ２側から見た側面図である。図４は、本発明の第１実施形態に係わる曲面形状を有する静電容量型入力装置１０１を説明する図であって、曲面形状部分の断面構成図である。なお、図３及び図４に示す身体特定部位Ｆ１０のサイズと図４に示す各層のサイズは、イメージを示した図であり、実際のサイズを表したものではない。
　【００２１】
　本発明の第１実施形態の曲面形状を有する静電容量型入力装置１０１は、静電容量式と呼ばれる検出方式を用いており、図３に示すように、ユーザが自身の身体特定部位Ｆ１０（図３では指の先で、以下指先Ｆ１０と記述する）を静電容量型入力装置１０１の表面に近接または接触させたときに、静電容量値の変化によって表面上における指先Ｆ１０の座標位置を検出し、指先Ｆ１０の座標位置に応じた入力操作が行えるようになっている。
　【００２２】
　この静電容量型入力装置１０１は、図１ないし図４に示すように、ユーザに対向する外曲面１ｇを有した外装体１と、外装体１の内面の内曲面１ｎに倣って一体に形成されたフィルム基材３と、フィルム基材３の反対面３ｐに形成された導電層５と、導電層５と電気的に接続された配線層７と、を有して構成される。他に、静電容量型入力装置１０１には、図示はしていないが、配線層７を介して導電層５からの静電容量値の変化の信号を受信する検出部と、検出部からの信号に基づいて命令信号を出力する制御部と、を有している。なお、検出部と制御部については、静電容量型のセンサにおける一般的な機能を有しており、本発明に対して何等限定するものではないので、詳細な説明は省略する。
　【００２３】
　静電容量型入力装置１０１の外装体１は、ポリエチレンテレフタレート（ＰＥＴ、Ｐｏｌｙｅｔｈｙｌｅｎｅ　ｔｅｒｅｐｈｔｈａｌａｔｅ）やポリカーボネート（ＰＣ、ｐｏｌｙｃａｒｂｏｎａｔｅ）等の透明な合成樹脂を用いて、射出成形を行って、立体的に三次元成形されている。また、本発明の第１実施形態の静電容量型入力装置１０１では、図１ないし図３に示すように、外形が矩形の形状を有しており、中央部分には、ユーザに対向する外曲面１ｇが凸状のドーム形状を有して（曲面形状を有して）構成されている。また、矩形の外周の一辺から一方向に延びた取出部１ｔを備えている。
　【００２４】
　静電容量型入力装置１０１のフィルム基材３は、ポリエチレンテレフタレート（ＰＥＴ、Ｐｏｌｙｅｔｈｙｌｅｎｅ　ｔｅｒｅｐｈｔｈａｌａｔｅ）やポリエチレンナフタレート（ＰＥＮ、Ｐｏｌｙｅｔｈｙｌｅｎｅ　ｎａｐｈｔｈａｌａｔｅ）等の透明なフィルムを用いており、図４に示すように、外装体１と接合された接合面３ｍ側に透明な接着層２２を設けて、外装体１の内面である凹状の内曲面１ｎに倣って一体に形成されている。また、外装体１の取出部１ｔの内面にも倣って端子部３ｔが一体に形成されており、この端子部３ｔから前述した検出部との電気的な接続を行っている。
　【００２５】
　この一体に形成する作製方法として、外装体１の射出成形時に、このフィルム基材３を型に挟み込んでインサート成形する方法を用いている。これにより、フィルム基材３を立体的な三次元形状にするとともに、外装体１の内曲面１ｎに倣って一体に形成することができる。また、別な作製方法として、フィルム基材を予め型によりプレス成形して立体的な三次元形状にしておき、立体的に三次元成形されている外装体に重ね合わせて、フィルム基材を接着させることによっても容易に作製することができる。また、前述した三次元形状にしたフィルム基材を型に挟み込んでインサート成形し、外装体と一体に形成する方法でも容易に作製することができる。
　【００２６】
　また、フィルム基材３の外装体１と接合される接合面３ｍには、図４に示すように、製品のデザイン性を向上させる等のため、加飾層５２が設けられている。この加飾層５２は、必要に応じ、文字、図形、記号、またはこれらの組み合わせた模様を、スクリーン印刷法やタンポ印刷法等でフィルム基材３に直接印刷することで容易に作製することができる。また、加飾層５２は、デザイン性の向上という目的以外にも、例えば配線層７をユーザから視認できないようにするための目隠し層や光源からの光を遮断する遮光層等、様々な用途に利用することができる。なお、説明を容易にするため、図１ないし図３には、加飾層５２の模様を敢えて図示していない。
　【００２７】
　静電容量型入力装置１０１の導電層５は、図４に示すように、フィルム基材３の接合面３ｍとは反対側の反対面３ｐに形成されており、導電性高分子である、ポリエチレンジオキシチオフェン（ＰＥＤＯＴ）とポリスチレンスルホン酸（ＰＳＳ）の混合体（以下、ＰＥＤＯＴ：ＰＳＳと表記する）を用いている。このＰＥＤＯＴ：ＰＳＳは、透明であり、しかも充分な透明性を確保しつつ所望の導電性を得ることができる材料である。また、ＰＥＤＯＴ：ＰＳＳは、高温雰囲気下の安定性にも優れており、酸化インジウムスズ（ＩＴＯ、Ｉｎｄｉｕｍ　Ｔｉｎ　Ｏｘｉｄｅ）と比較して、曲げ加工に対しても強い耐性を有している。更に、ＰＥＤＯＴ：ＰＳＳは、水分散性であるので、容易に塗布することができるとともに、乾燥、硬化させることにより容易に成膜を行うことができる。なお、導電層５のフィルム基材３への塗布は、スクリーン印刷法等で容易に行うことができる。
　【００２８】
　また、導電層５は、詳細な図示はしていないが、ライン状のパターンが複数本、平行に並んだ電極パターンを有しており、この電極パターンとユーザ自身の指先Ｆ１０との静電容量値の変化を検出する電極の機能を有している。また、従来例では、Ｘ方向の第一の回路パターン層９２３とＹ方向の第二の回路パターン層９２４の２層の電極で静電容量値の変化を検出する座標検出装置としていたが、本発明の第１実施形態では、導電層５を１層で構成し、１層の電極で静電容量値の変化を検出するようにしている。このため、従来例では、回路パターン層９２０の電極の厚みが１〜１５μｍ、又は１０〜１５μｍ程度であると開示しているが、本発明の第１実施形態の導電層５の厚みは、０．１〜数μｍ程度と、薄い構成となっている。
　【００２９】
　以上、上述したように、外装体１、フィルム基材３及び導電層５が透明であるので、操作面全体を透明にすることができる。このことにより、透明性が要求される製品に好適に用いることができる。また、上述した加飾層５２を加えることによって、適用される製品の装飾性も高めることができる。
　【００３０】
　静電容量型入力装置１０１の配線層７は、図４に示すように、導電層５の一部に重ねて形成され導電層５と電気的に接続しているとともに、図２に示すように、矩形の外周部３ｓから端子部３ｔにかけて敷設されている。この端子部３ｔの配線層７は、コネクタ等を利用して検出部に繋がっている配線と容易に接続することができる。
　【００３１】
　また、この配線層７は、導電層５が反対面３ｐに形成されたフィルム基材３に、銀ペーストやカーボンインク等をスクリーン印刷して、乾燥、硬化させることにより、容易に作製することができる。また、配線層７は、銀ペーストやカーボンインク等の導電性複合部材を用いているので、導電層５と同様に、酸化インジウムスズ（ＩＴＯ、Ｉｎｄｉｕｍ　Ｔｉｎ　Ｏｘｉｄｅ）と比較して、曲げ加工に対しても強い耐性を有している。
　【００３２】
　静電容量型入力装置１０１の保護層９は、絶縁性の合成樹脂材料を用い、図４に示すように、導電層５を覆うように形成されている。また、本発明の第１実施形態では、配線層７も覆うようにして、保護層９が形成されている。これにより、例えば製造上での物理的な作用による導電層５の損傷や、例えば環境下における導電層５のダメージ等に対して、導電層５が保護されることとなる。このことにより、曲面形状を有する静電容量型入力装置１０１の耐候性を高めることができる。なお、保護層９も透明であることは言うまでもない。また、保護層９は、導電層５が吸収した水分を放出する妨げとならないよう、フィルム基材３と比べて薄く形成されている。
　【００３３】
　また、この保護層９は、導電層５が反対面３ｐに形成されたフィルム基材３に、絶縁性インク等をスクリーン印刷して、乾燥、硬化させることにより、容易に導電層５を覆うように積層させることができる。
　【００３４】
　以上のように構成された静電容量型入力装置１０１は、従来例の静電容量センサ９００Ａの第二の回路パターン層９２４や静電容量センサ９００Ｂの回路パターン層９２０（９２３、９２４）が、フィルム基材９０１と支持体９４０とに挟まれた層構成とは違い、フィルム基材３と外装体１（従来例の支持体９４０に相当する）との間に導電層５が挟まれていない層構成をしている。このため、フィルム基材３の外装体１と接合された接合面３ｍの反対面３ｐ側から、導電層５内の水分が抜け易い構成となっている。このことにより、高温高湿環境などで外装体１を透過してきた水分によって導電層５が吸湿して抵抗値が大きくなることが生じたとしても、常温常湿環境に戻った際に導電層５の抵抗値が元の値に戻りやすいので、検出精度の低下から素早く復帰することができる。また、外装体１の内曲面１ｎ側に導電層５及び配線層７を設けたので、外装体１及びフィルム基材３により外曲面１ｇ側からの紫外線が吸収されて、導電層５及び配線層７が紫外線に曝露されることを防止することができる。このことにより、曲面形状を有する静電容量型入力装置１０１の耐候性を向上させることができる。
　【００３５】
　また、本発明の第１実施形態では、従来例と比較して、導電層５の厚みが０．１〜数μｍ程度と約１／１０薄い構成としているので、導電層５は、従来例より厚みが小さくなった比率に応じて湿度の影響をより受け易くなっている。このため、本発明の第１実施形態の静電容量型入力装置１０１は、より効果が顕著に現れてくる。
　【００３６】
　以上のように構成された本発明の第１実施形態の曲面形状を有する静電容量型入力装置１０１における、効果について、一部図面を用いて以下に説明する。
　【００３７】
　図５は、第１実施形態に係わる曲面形状を有する静電容量型入力装置１０１の効果を説明する図であって、図５（ａ）は、耐湿試験に用いた本案のサンプル片ＳＰ１の層構造を示した図であり、図５（ｂ）は、比較に用いたサンプル片ＣＰ９の層構造を示した図である。本案のサンプル片ＳＰ１は、外装体１、接着層２２、フィルム基材３、導電層５、配線層７、保護層９の順で積層された層構成となっており、比較のサンプル片ＣＰ９は、外装体Ｃ１、接着層Ｃ２２、配線層Ｃ７、導電層Ｃ５、フィルム基材Ｃ３の順で積層された層構成となっている。比較のサンプル片ＣＰ９は、導電層Ｃ５が外装体Ｃ１とフィルム基材Ｃ３に挟まれた層構成となっているのに対し、本案のサンプル片ＳＰ１は、導電層５が外装体１とフィルム基材３に挟まれていない層構成をしている。図６は、第１実施形態に係わる曲面形状を有する静電容量型入力装置１０１の効果を説明する図であって、図５に示した各サンプル片を用いて耐湿試験を行った結果のグラフである。横軸は、高温多湿の環境下に晒した累積の曝露時間（単位は時間）であり、縦軸は、初期の抵抗値と高温多湿の環境下に一定時間晒した後の抵抗値を測定し、その抵抗値変化（単位はパーセント）を示している。また、図中のＡ１は、本案のサンプル片ＳＰ１の結果で有り、図中のＣ１は、比較のサンプル片ＣＰ９の結果である。なお、この高温多湿の耐湿試験は、６０℃で、９５％湿度の環境下に所望の時間晒した後、常温常湿に戻して２時間後に各サンプルの抵抗値を測定し、これを繰り返して行った。
　【００３８】
　本発明の第１実施形態の曲面形状を有する静電容量型入力装置１０１は、曲面を有して形成された外装体１と一体に形成されたフィルム基材３に、導電性高分子からなる導電層５が形成されているので、従来例の層構成とは違い、フィルム基材３の外装体１と接合された接合面３ｍの反対面３ｐ側から、導電層５内の水分が抜け易い構成となっている。このため、図６に示すように、高温高湿環境などで外装体１を透過してきた水分によって導電層５が吸湿して抵抗値が大きくなることが生じたとしても、常温常湿環境に戻った際に、導電層５の抵抗値が、他の層構成の結果（図中のＣ１）と比較して、大きくならない（図中のＡ１）。これは、高温多湿環境で導電層５が吸湿した水分が常温常湿に戻したあとの２時間で大部分抜けたことにより抵抗変化率が抑えられたと考えられる。このことにより、検出精度の低下から素早く復帰することができ、検出精度の低下を防止することができる。
　【００３９】
　また、外装体１の内曲面１ｎ側に導電層５及び配線層７を設けたので、外装体１及びフィルム基材３により外曲面１ｇ側からの紫外線が吸収されて、導電層５及び配線層７が紫外線に曝露されることを防止することができる。このことにより、曲面形状を有する静電容量型入力装置１０１の耐候性を向上させることができる。
　【００４０】
　また、導電性高分子がＰＥＤＯＴ：ＰＳＳなので、充分な透明性を確保しつつ所望の導電性を得ることができるとともに、高温雰囲気下の安定性や曲げ加工の耐性にも優れている。また、水分散性であるので、容易に塗布、成膜を行うことができる。このことにより、曲面形状を有する静電容量型入力装置１０１を容易に作製することができる。
　【００４１】
　また、外装体１、フィルム基材３及び導電層５が透明であるので、操作面全体を透明にすることができる。このことにより、透明性が要求される製品に好適に用いることができる。また、加飾層５２を加えることによって、適用される製品の装飾性も高めることができる。
　【００４２】
　また、導電層５を覆うように積層された保護層９を有しているので、例えば製造上での物理的な作用による導電層５の損傷や、例えば環境下における導電層５のダメージ等に対して、導電層５が保護される。このことにより、曲面形状を有する静電容量型入力装置１０１の耐候性を高めることができる。
　【００４３】
　なお、本発明は上記実施形態に限定されるものではなく、例えば次のように変形して実施することができ、これらの実施形態も本発明の技術的範囲に属する。
　【００４４】
　図７は、第１実施形態に係わる曲面形状を有する静電容量型入力装置１０１の変形例を説明する図であって、図７（ａ）は、図４と比較した変形例１の静電容量型入力装置Ｃ１０１の断面構成図であり、図７（ｂ）は、図４と比較した変形例２の静電容量型入力装置Ｃ１０２の断面構成図である。図８は、第１実施形態に係わる曲面形状を有する静電容量型入力装置１０１の変形例を説明する図で
あって、図３と
　【００４５】
　＜変形例１＞
　上記第１実施形態では、ユーザに対向する外曲面１ｇが凸状のドーム形状を有して構成されていたが、図７（ａ）に示すように、ユーザに対向する外曲面１ｇが凹状の椀形状を有して構成されていても良い。
　【００４６】
　＜変形例２＞
　上記第１実施形態では、ユーザに対向する外曲面１ｇが凸状の単純なドーム形状を有して構成されていたが、この形状に限らなく、例えば図７（ｂ）に示すように、違った凸形状が組み合わされた形状でも良い。
　【００４７】（削除）
　【００４８】
　＜変形例４＞
　上記第１実施形態に対して、
図８
　【００４９】（削除）
　【００５０】
　＜変形例６＞
　上記第１実施形態では、導電層５を１層設けて、この１層の電極で静電容量値の変化を検出することにより、ユーザ自身の指先Ｆ１０の位置を検出するように好適に構成していたが、この形態に限るものではない。例えば、従来例のように、Ｘ方向の第１導電層とＹ方向の第２導電層の２層の電極で静電容量値の変化を検出することにより、座標を検出できる座標入力装置を構成しても良い。また、１層の導電層用いて、ユーザ自身の指先Ｆ１０を検知し、例えばスイッチ装置を構成しても良い。
　【００５１】
　本発明は上記実施の形態に限定されず、本発明の目的の範囲を逸脱しない限りにおいて適宜変更することが可能である。
　【符号の説明】
　【００５２】
　１　　外装体
　１ｇ　外曲面
　１ｎ　内曲面
　３　　フィルム基材
　３ｍ　接合面
　３ｐ　反対面
　５　　導電層
　７　　配線層
　９　　保護層
　１０１、Ｃ１０１、Ｃ１０２、Ｃ１０３、Ｃ１０４　静電容量型入力装置
【図面】